(57)【要約】【課題】送風機の回転数を上昇させることなく暖房運転時の温風の到達距離を延ばすと共に、ルーバーモータなどの駆動回路を用いずに空気調和装置の風向変更を行う。【解決手段】吹出し口２８に設けられる風向板２７の下側の面へ、風向補助板２７ｂを設け、この風向補助板２７ｂの風上側の縁部へ吹出し口２８から吹出される冷風や温風の温度により変形する温度変形部材２７ａを設けて、風向補助板２７ｂを風向板２７へ取り付け、吹出し口２８から冷風が吹出される時は、風向補助板２７ｂは、実線矢印ａの様に風向板２７へと引き寄せ、吹出し口２８からの冷風を略水平方向吹出し、吹出し口２８から温風が吹出される時は、前記温度変形部材２７ａを変形させて破線矢印ｂの様に風向補助板２７ｂを下方へ向け、吹出し口２８から吹出される温風を下方へと吹出すと共に、吹出し口２８を狭めて、前記温風の風速を上昇させる。【選択図】      図４
2004316969.tif 000002
【特許請求の範囲】
【請求項１】
熱交換された空気を吹出す吹出し口へ、この吹出し口へ横方向へ延び、前記空気の風向を上下方向に調整する風向板を備えて空調運転を行う空気調和装置において、
前記風向板の前記下側の面に接して風向補助板を設け、前記吹出し口から吹出される前記空気の温度に応じて、前記風向補助板の風上側を支点として前記風向補助板の風下側を前記風向板から離す手段を備え、前記吹出し口から吹出される前記空気の風向と、前記吹出し口から吹出される前記空気の風速とを調整することを特徴とする空気調和装置。
【請求項２】
前記風向補助板は、前記風向補助板の風上側の前記縁部に形状記憶合金など温度により変形する温度変形部材を備えたものであることを特徴とする請求項１に記載の空気調和装置。
【請求項３】
前記風向補助板は、形状記憶合金など温度により変形する温度変形部材であることを特徴とする請求項１に記載の空気調和装置。
【発明の詳細な説明】
【０００１】
【発明の属する技術分野】
この発明は、熱交換器で熱交換された空気を、吹出し口に設けられた風向板で風向調節を行って室内空間へと吹出して空調運転を行う空気調和装置に関する。
【０００２】
【従来の技術】
これまでの空気調和装置では、吹出し口に風向板を備え、この風向板の方向を調節することにより、前記吹出し口から吹出される空気の風向調節を行い、被空調空間の空調運転を行っていた。この風向板は、ルーバーモータなどの駆動回路に接続されており、この駆動回路により、例えば、前記空気調和装置が冷房運転を行う場合には、前記風向板を略水平の方向へ向け、前記吹出し口から吹出される冷風を水平方向へと吹出させ、前記空気調和装置が暖房運転を行う場合には、前記風向板を下方へと向け、前記吹出し口から吹出される温風を下方方向へと吹出す様調整されていた。
【０００３】
しかしながら、暖房運転時には、前記吹出し口から吹出される温風の温度が、被空調空間の空気の温度よりも高いため、前記吹出し口から吹出される空気に浮力が生じて前記吹出し口から吹出される空気の到達距離が短くなってしまうという問題があった。
【０００４】
このため、吹出し口の下顎部に形状記憶合金を備えた突出体を設け、この突出体を吹出し口から吹出される前記冷風や前記温風の温度により前記形状記憶合金を伸縮させ、前記突出体を伸縮させて吹出し口の開口面積を制御することにより、前記吹出し口から吹出される空気の到達距離を制御することが提案されている（例えば、特許文献１参照）。
【０００５】
また、上記ルーバーモータなどの駆動回路を収納するスペースを確保しなければならなため、風向板を方向を制御する駆動軸へ形状記憶合金による捩じりコイルバネを備え、前記捩じりコイルバネをヒータなどの加熱装置により加熱して前記吹出し口から吹出される空気の風向を制御することも提案されている（例えば、特許文献２参照）。
【０００６】
【特許文献１】
特開平９−６０９１２号公報（第１図）
【特許文献２】
特開平１１−２３７１１０号公報（第３図）
【０００７】
【発明が解決しようとする課題】
しかしながら、上記特許文献１にあっては、前記吹出し口から吹出される温風の風速を上昇させて前記温風の到達距離を延ばすことはできるが、前記風向板を駆動させる駆動回路を備えなければならず、コストアップの要因となっていた。また、特許文献２にあっては、前記駆動回路を備えずとも前記風向板を駆動でき、前記吹出し口から吹出される温風の風向を制御することはできるが、暖房運転時、前記温風の到達距離を延ばすためには、前記温風の送風を行う送風機の回転数を上昇させるなどして風速を上昇させなければならなかった。このため、送風時の騒音が問題となっていた。
【０００８】
本発明は、上記事情に鑑みてなされたものであり、送風機の回転数を上昇させることなく暖房運転時の温風の到達距離を延ばすと共に、ルーバーモータなどの駆動回路を用いずに風向調節を行う空気調和装置を提供することを目的とする。
【０００９】
【課題を解決するための手段】
請求項１に記載の発明は、熱交換された空気を吹出す吹出し口へ、この吹出し口へ横方向へ延び、前記空気の風向を上下方向に調整する風向板を備えて空調運転を行う空気調和装置において、前記風向板の前記下側の面に接して風向補助板を設け、前記吹出し口から吹出される前記空気の温度に応じて、前記風向補助板の風上側を支点として前記風向補助板の風下側を前記風向板から離す手段を備え、前記吹出し口から吹出される前記空気の風向と、前記吹出し口から吹出される前記空気の風速とを調整することを特徴とするものである。
【００１０】
請求項２に記載の発明は、請求項１に記載のものにおいて、前記風向補助板は、前記風向補助板の風上側の前記縁部に形状記憶合金など温度により変形する温度変形部材を備えたものであることを特徴とするものである。
【００１１】
請求項３に記載の発明は、請求項１に記載のものにおいて、前記風向補助板は、形状記憶合金など温度により変形する温度変形部材であることを特徴とするものである。
【００１２】
【発明の実施の形態】
以下、図面を参照して本発明の実施の形態について説明する。図１は、本発明の実施形態にかかる空気調和装置１の構成を示す図である。この図に示す様に、空気調和装置１は、室外ユニット２と室内ユニット３とがユニット間配管４で接続されて構成されており、室内ユニット２には、冷媒を圧縮する圧縮機１０と、該圧縮機１０から吐出された冷媒の循環方向を反転させる四方弁１１と、前記冷媒と外気との熱交換を行わせる室外熱交換器１２と、前記冷媒の減圧を行う減圧弁１３と、該圧縮機１０へ吸い込まれる冷媒の気液分離を行うアキュームレータ１４と、室外熱交換器１２へ外気を送風する室外送風機１５が収納されている。
【００１３】
室内ユニット３には、圧縮機１０から吐出された冷媒を室内空気と熱交換させる室内熱交換器２０と、室内減圧弁２１と、室内熱交換器２０への送風を行う室内送風機２２とが収納されている。そして、この室内ユニット３は、例えば、図２に示す様に、室内ユニット本体２３の下面に化粧パネル２４が設けられており、前記化粧パネル２４の中央には、室内の空気を吸い込む吸込みグリル２５を備えた吸込み口２６が設けられ、四辺の縁部には、この四辺の縁部に並行して延びる吹出し口２８が設けられており、これら吹出し口２８のそれぞれには、吹出し口２８の延長方向へ延びる風向板２７が備えられている。
【００１４】
また、この室内ユニット３は、図３に示す様に、室内ユニット本体２３内の天面中央には、室内送風機２２を構成する室内送風モータ２９が取り付けられ、この室内送風モータ２９の回転軸へ室内送風ファン３０が取り付けられている。また、室内送風機２２の下方には、吸込み口２６が設けられており、吸込みグリル２５から吸込んだ室内空気をフィルタ３２でろ過し、この吸込み口２６から吸込むものとなっている。そして、この室内送風機２２を囲う様に、室内熱交換器２０が設けられており、室内ユニット本体２３内で室内熱交換器２０の外側には、吹出し経路３１が設けられており、前記吸込み口２６から吸込んだ前記室内空気を前記室内熱交換器２０で熱交換させて冷却、或いは、加温した後、この吹出し経路３１を流通させて吹出し口２８から再度室内へと吹出している。また、室内熱交換器２０の下方には、冷房運転時、この室内熱交換器２０に結露し、滴下したドレン水を受けて図示しないドレンホースより室外へと排水するドレンパン３３が備えられている。
【００１５】
吹出し口２８は、上記図２でも示した様に、化粧パネル２４の四辺のそれぞれの縁部に並行に設けられており、吹出し口２８には、それぞれ、これら吹出し口２８から吹出される空気の風向を調整する風向板２７が備えられている。
【００１６】
風向板２７は、図４に示す様に、化粧パネル２４の前記縁部へ向けて若干湾曲した板で横方向へ延び、やや水平ぎみの角度で吹出し口２８へと備えられており、この風向板２７には、形状記憶合金やバイメタルなど、温度により変形する温度変形部材２７ａを介して、前記風向板２７と略同等の長さの風向補助板２７ｂが設けられている。この温度変形部材２７ａは、風向補助板２７ｂの風上側の縁部に設けられ、一端を風向板２７へ、他端を風向補助板２７ｂへ固定されており、吹出し口２８から吹出される前記空気の温度により、温度変形部材２７ａが変形し、風向補助板２７ｂの風上側を支点として、この風向補助板２７ｂの風下側が、前記風向板２７へ引き寄せられたり、前記風向板２７から離されたりするものとなっている。
【００１７】
そして、温度変形部材２７ａおよび風向補助板２７ｂの動作について説明すると、この風向補助板２７ｂは、例えば、空気調和装置１が冷房運転を行った場合には、室内空気が室内熱交換器２０で冷却され、冷風として吹出し口２８から吹出されるため、この冷風の温度により、温度変形部材２７ａが変形し、風向補助板２７ｂの風上側を支点として、風向補助板２７ｂの風下側を実線矢印ａに示す様に風向板２７側へと引き寄せるものとなっている。これにより、空気調和装置１が冷房運転を行った時には、吹出し口２８から吹出された冷風は、風向板２７により略水平に吹出され、コアンダ効果により、室内ユニット３が据付けられた天井４０の表面に沿って室内全体へと行き渡り易くなる。
【００１８】
また、空気調和装置１が暖房運転を行った場合には、室内空気が室内熱交換器２０で加温され、温風として吹出し口２８から吹出されるため、この温風の温度により、温度変形部材２７ａが上記冷房運転時と逆方向に変形し、風向補助板２７ｂの風上側を支点として、風向補助板２７ｂの風下側は破線矢印ｂに示す様に風向板２７から離されて下方へ向くこととなる。これにより、空気調和装置１が暖房運転を行った時には、吹出し口２８吹出された温風は、風向補助板２７ｂにより、上記冷房運転時よりも下方へ吹出されることとなる。さらに、前記風向補助板２７ｂが、この風向補助板２７ｂの風下側が風向板２７から離され、吹出し口２８が狭まることにより、前記温風の吹出される風速が上昇するため、前記温風の到達距離を延ばすことが可能となる。
【００１９】
なお、この風向板２７は、手動で吹出し口２８から吹出される空気の吹出し方向を若干ではあるが、上下方向に変更することが可能となっている。それは、前記冷風や前記温風が直接使用者へ届いて不快感を招かない様にするためである。
【００２０】
また、図５に示す様に、前記風向補助板２７ｂの本体を形状記憶合金やバイメタルなど、温度により変形する温度変形部材で構成し、風向補助板３４としても良い。
【００２１】
この図５に示す風向補助板３４も上記と同様、風向板２７と略同等の長さの板状の部材とされ、風向板２７の下側の面に接して設けられており、風向補助板３４の風上側が風向板２７へと取り付けられている。
【００２２】
そして、吹出し口２８から冷風が吹出される冷房運転では、前記風向補助板３４は変形して実線矢印ｃに示す様に、風向補助板３４の風上側を支点として、風向補助板３４の風下側が風向板２７へと引き寄せられて、上記同様、風向板２７により略水平に吹出される。また、吹出し口２８から温風が吹出される暖房運転では、風向補助板３４は、上記と逆方向へ変形して破線矢印ｄに示す様に、風向補助板３４の風上側を支点として、風向補助板３４の風下側が風向板２７から離れ、前記風向補助板３４が下方へ向くため、吹出し口２８から吹出される前記温風の風向も下方を向くと共に、吹出し口２８が狭められ、前記温風の風速が上昇して、前記温風の到達距離を延ばすことが可能となる。
【００２３】
なお、本実施の形態では、室内ユニット３を天井に埋め込まれて据付けられる四方向吹出しの天井カセット型として説明したが、これに限られるもので無いことは明らかで、上記天井に埋め込まれて据付けられる二方向吹出しの天井カセット型であっても、一方向吹出しの天井カセット型であっても、或いは、床面上に設置される床置き型であっても良い。つまり、吹出し口に風向を調整する風向板が備えられ、この風向板を上下方向に向けることにより、前記吹出し口から吹出される前記冷風や前記温風の風向を調整するものであれば良い。
【００２４】
【発明の効果】
以上説明した様に、本発明によれば、風向板と同等の長さの風向補助板を前記風向板の下側の面に接して設け、前記吹出し口から吹出される空気の温度に応じて、前記風向補助板の風上側を支点として、前記風向補助板の風下側を前記風向板から離す手段を備えて、前記吹出し口から吹出される前記空気の風向と、前記吹出し口から吹出される前記空気の風速とを調整しているので、前記風向板の方向を変える駆動回路を用いずとも風向の変更が行えると共に、暖房運転時、前記吹出し口からから吹出される温風の到達距離を延ばすことができる。
【図面の簡単な説明】
【図１】本発明の実施形態にかかる空気調和装置の冷媒回路図である。
【図２】同空気調和装置の室内ユニットを下方から見た斜視図である。
【図３】同室内ユニットの側面断面図である。
【図４】同室内ユニットの吹出し口に設けられた風向板の構成を示す図である。
【図５】同風向補助板を温度変形部材とした図である。
【符号の説明】
１  空気調和装置
３  室内ユニット
２７  風向板
２７ａ  温度変形部材
２７ｂ  風向補助板
２８  吹出し口
３４  風向補助板（第２実施形態）
【図１】
2004316969.tif 000003
【図２】
2004316969.tif 000004
【図３】
2004316969.tif 000005
【図４】
2004316969.tif 000006
【図５】
2004316969.tif 000007